(57)【要約】【課題】内容物の注出に伴う内層体の底部の持ち上がりを防止でき、また内層体を均等に減容させることができる二重容器を提案する。【解決手段】本発明の二重容器は、内容物を収納する充填空間Ｍを有し、充填空間Ｍの減容を可能とする内層体１０Ａと、内層体１０Ａを内側に収納する外層体２０とを備え、外層体２０は、その底部２４に貫通孔２６を有し、内層体１０Ａは、貫通孔２６を通り抜けてこの貫通孔２６に係止されるとともにそれらの相互間に形成される隙間１７を通して外層体２０と内層体１０Ａとの間に外気を導入する複数個の爪部１６を有する。【選択図】図１
2014069877.tif 000002
【特許請求の範囲】
【請求項１】
内容物を収納する充填空間を有し該充填空間の減容を可能とする内層体と、該内層体を内側に収納する外層体とを備える二重容器であって、
前記外層体は、その底部に貫通孔を有し、
前記内層体は、前記貫通孔を通り抜けて該貫通孔に係止されるとともにそれらの相互間に形成される隙間を通して該外層体と該内層体との間に外気を導入する複数個の爪部を有する二重容器。
【請求項２】
前記爪部は、該爪部を傾倒させる押圧部を有する請求項１に記載の二重容器。
【請求項３】
内容物を収納する充填空間を有し該充填空間の減容を可能とする内層体と、該内層体を内側に収納する外層体とを備える二重容器を成形するためのプリフォームであって、
前記プリフォームは、前記内層体を形成する内側プリフォームと前記外層体を形成する外側プリフォームとからなり、
前記外側プリフォームは、その底部に貫通孔を有し、
前記内側プリフォームは、前記貫通孔を通り抜けて該貫通孔に係止されるとともにそれらの相互間に形成される隙間を通して該外層体と該内層体との間に外気を導入する複数個の爪部を有するプリフォーム。
【請求項４】
請求項３に記載のプリフォームにて二重容器を成形するにあたり、
前記内側プリフォームを前記外側プリフォームに挿入するとともに、前記爪部を前記貫通孔に係止させ、
次いで、該内側プリフォーム及び該外側プリフォームを延伸可能な温度まで加熱した後、二軸延伸ブロー成形を行う二重容器の製造方法。
【発明の詳細な説明】
【技術分野】
【０００１】
本発明は、内容物の充填空間を有するとともに内容物の注出に伴って減容する内層体と、この内層体を内側に収納する外層体とを備える二重容器、その容器用プリフォーム、及びその容器の製造方法に関するものである。
【背景技術】
【０００２】
化粧水などの化粧料やシャンプーやリンスあるいは液体石鹸、各種の薬剤、また食品調味料などを収納する容器としては、内容物の充填空間を有する内層体と、この内層体を剥離可能に収納するとともに内層体との間に外気を取り込む導入口を備える外層体とからなり、内容物の注出に伴って内層体を減容できるようにした二重容器が知られている。（例えば特許文献１参照）。この種の容器は、充填空間内の内容物と外気との置換を行うことなく内容物を注出することができるので、特に、外気との接触によって品質が低下するおそれのある内容物を収納する容器として好適である。
【０００３】
また、このような二重容器を製造する方法として、例えば特許文献２には、有底円筒形状となる外側プリフォーム（外層ピースＡ’）と、外側プリフォーム内に嵌合する内側プリフォーム（内層ピースＢ’）とをそれぞれ成形し、内側プリフォームを外側プリフォームに嵌め合わせて延伸可能な温度まで加熱した後、延伸ピンで延伸させながらブロー成形することが示されている。
【先行技術文献】
【特許文献】
【０００４】
【特許文献１】特開２０１１−１３６７０４号公報
【特許文献２】実開昭５３−２５８５６号公報
【発明の概要】
【発明が解決しようとする課題】
【０００５】
ところで、このような二重容器に、例えばポンプ機能を有するとともに内層体の底部に向けて延びる吸引チューブを備える吐出器を装着して使用する場合には、内容物の注出に伴い内層体の底部が口部側に持ち上げられて吸引チューブの先端開口を塞いでしまい、内容物の注出が行い難くなることがあった。また、内層体の減容が不均一に進んで胴部が括れるように潰れてしまい、胴部の下方に内容物を残したままその中間部が閉塞されてしまうこともあった。このため、内容物の注出が進んで内層体が減容しても内層体の底部の持ち上がりが防止でき、また、内層体が均等に減容して内容物を最後まで無駄なく注出させることができる新たな二重容器が求められていた。
【０００６】
本発明は、このような問題を解決することを課題とするものであり、その目的は、内容物の注出に伴う内層体の底部の持ち上がりを確実に防止でき、また内層体を均等に減容させることができる新規の二重容器を提案するところにある。
【課題を解決するための手段】
【０００７】
本発明は、内容物を収納する充填空間を有し該充填空間の減容を可能とする内層体と、該内層体を内側に収納する外層体とを備える二重容器であって、
前記外層体は、その底部に貫通孔を有し、
前記内層体は、前記貫通孔を通り抜けて該貫通孔に係止されるとともにそれらの相互間に形成される隙間を通して該外層体と該内層体との間に外気を導入する複数個の爪部を有する二重容器である。
【０００８】
前記爪部は、該爪部を傾倒させる押圧部を有することが好ましい。
【０００９】
また本発明は、内容物を収納する充填空間を有し該充填空間の減容を可能とする内層体と、該内層体を内側に収納する外層体とを備える二重容器を成形するためのプリフォームであって、
前記プリフォームは、前記内層体を形成する内側プリフォームと前記外層体を形成する外側プリフォームとからなり、
前記外側プリフォームは、その底部に貫通孔を有し、
前記内側プリフォームは、前記貫通孔を通り抜けて該貫通孔に係止されるとともにそれらの相互間に形成される隙間を通して該外層体と該内層体との間に外気を導入する複数個の爪部を有するプリフォームである。
【００１０】
前記プリフォームにて二重容器を成形するにあたり、
前記内側プリフォームを前記外側プリフォームに挿入するとともに、前記爪部を前記貫通孔に係止させ、
次いで、該内側プリフォーム及び該外側プリフォームを延伸可能な温度まで加熱した後、二軸延伸ブロー成形を行うことが好ましい。
【発明の効果】
【００１１】
二重容器を、減容可能な内層体とこの内層体を内側に収納する外層体にて構成し、外層体の底部に貫通孔を設け、内層体に、貫通孔を通り抜けてこの貫通孔に係止される複数個の爪部を設けたので、内層体の底部は外層体に係合保持されて口部側への持ち上がりが防止され、また、内層体を均等に減容させることができる。また、これらの爪部の相互間に形成される隙間を通して外層体と内層体との間に外気を導入するようにしたので、内層体の減容が阻害されることがない。さらに、爪部及びその相互間に隙間は、容器の底部に設けられることになるので目立ちにくく、見栄えが損なわれることがない。
【００１２】
また、爪部に押圧部を設ける場合は、内容物の注出後、この押圧部を押して爪部を傾倒させることで内層体を取り外すことができるので、分別廃棄が容易となる。
【００１３】
また、このような二重容器を、内層体を形成する内側プリフォームと外層体を形成する外側プリフォームとからなり、内側プリフォームに、外側プリフォームの底部に設けた貫通孔を通り抜けてこの貫通孔に係止されるとともに、それらの相互間に形成される隙間を通して外層体と内層体との間に外気を導入する複数個の爪部を設けたプリフォームにて成形することが好ましい。この場合、内側プリフォームを外側プリフォームに挿入するとともに爪部を貫通孔に係止させ、次いで、内側プリフォーム及び外側プリフォームを延伸可能な温度まで加熱した後、二軸延伸ブロー成形を行えば、上述した二重容器を簡単に成形することができる。
【図面の簡単な説明】
【００１４】
【図１】（ａ）は、本発明に従う二重容器の実施形態を一部断面（図１（ｂ）のＸ−Ｘに沿う断面）で示す側面図であり、また破線部分はこの二重容器の二軸延伸ブロー成形前のプリフォームを示す側面図であって、（ｂ）は、（ａ）の矢印Ａに沿う矢視図である。
【図２】図１に示す実施形態の二重容器につき、図示しない吐出器にて内容物を注出して内層体が減容した状態を、一部断面で示した側面図である。
【図３】（ａ）は、本発明に従う二重容器の他の実施形態を一部断面で示す側面図であり、また破線部分はこの二重容器の二軸延伸ブロー成形前のプリフォームを示す側面図であって、（ｂ）は、（ａ）の矢印Ｂに沿う矢視図である。
【図４】図３に示す他の実施形態の二重容器につき、内容物を注出後、爪部の押圧部を指で押して爪部の係合を解除した状態を、一部断面で示した側面図である。
【図５】図４に示す状態から内層体を取り出す状態を、一部断面で示した側面図である。
【図６】（ａ）は、図１に示す二重容器のプリフォームにつき、内層体を形成する内側プリフォームを一部断面で示した側面図であり、（ｂ）は（ａ）の矢印Ｃに沿う矢視図である。
【図７】図１に示す二重容器のプリフォームにつき、外層体を形成する外側プリフォームを一部断面で示した側面図である。
【図８】図６に示す内側プリフォーム及び図７に示す外側プリフォームを組み合わせた状態を一部断面で示した側面図である。
【図９】（ａ）は、図３に示す二重容器のプリフォームにつき、内層体を形成する内側プリフォームを一部断面で示した側面図であり、（ｂ）は（ａ）の矢印Ｄに沿う矢視図である。
【発明を実施するための形態】
【００１５】
以下、図面を参照して、本発明をより具体的に説明する。
図１（ａ）は、本発明に従う二重容器の実施形態を一部断面（図１（ｂ）のＸ−Ｘに沿う断面）で示す側面図であり、また破線部分はこの二重容器の二軸延伸ブロー成形前のプリフォームを示す側面図であって、図１（ｂ）は、（ａ）の矢印Ａに沿う矢視図である。また、図２は、図１に示す実施形態の二重容器につき、図示しない吐出器にて内容物を注出して内層体が減容した状態を、一部断面で示した側面図である。
【００１６】
図１（ａ）において、符号１Ａは、本発明に従う二重容器である。二重容器１Ａは、その内側に内容物を収納する充填空間Ｍを有するとともに、この充填空間Ｍの減容を可能とする内層体１０Ａと、内層体１０Ａを内側に収納する外層体２０とを備えている。なお、図１に示す破線部分は、後述する製造方法にて二重容器１Ａを成形するプリフォーム２Ａを示している。
【００１７】
内層体１０Ａ及び外層体２０との相互間は、内層体１０Ａのみを減容させるために剥離可能となっていて、本実施形態では、内層体１０ＡをＰＰ（ポリプロピレン）製とし、外層体２０をＰＥＴ（ポリエチレンテレフタレート）製としている。なお、内層体１０Ａ及び外層体２０の材質は、剥離可能であれば同材質でも異材質でもよく、他にもＰＥ（ポリエチレン）、ＰＡ（ポリアミド）等、適宜選択することができる。
【００１８】
本実施形態において内層体１０Ａは、円筒状の口部１１と、口部１１に肩部１２を介して連結し口部１１よりも大径となる円筒状の胴部１３と、胴部１３の下端部を閉鎖する底部１４とを備えていて、これら口部１１、肩部１２、胴部１３、及び底部１４にて区画した内側空間を充填空間Ｍとしている。また、口部１１の上端部には、径方向外側に向けて折り返した環状の折り返し部１５が設けられている。そして底部１４の中心部には、口部１１に対して反対側に突き出す複数個の爪部１６が設けられている。本実施形態においては、図１（ｂ）に示すように均等配置で３個設けられていて、これらの爪部１６の相互間には隙間１７が形成されている。
【００１９】
外層体２０は、口部１１を取り囲むとともにその外周面にねじ部を設けた口部２１と、口部２１に肩部２２を介して連結し胴部１３を取り囲む円筒状の胴部２３と、底部１４を内側に収めて胴部２３の下端部を閉鎖する底部２４とを備えている。また口部２１の上部には折り返し部１５に係合する環状壁２５が設けられている。そして、底部２４の中心部には貫通孔２６が設けられている。貫通孔２６は、爪部１６を内側から外側に向けて挿通させるとともに、その端部に係止させることができる。そして隣り合う爪部１６の相互間の隙間１７は、図２に示すように内層体１０Ａと外層体２０との間に外気を導入する導入口として機能する。なお、底部２４は、図１（ａ）に示すように爪部１６が、底部２４の外縁部よりも外側に飛び出さない位置まで径方向内側に向かって上向きに傾斜しているので、二重容器１Ａを起立させた状態で、爪部１６が邪魔になることはない。
【００２０】
上記のように構成される二重容器１Ａは、図示は省略するが、例えばヘッドの押し込み動作の繰り返しによってポンプを駆動させて充填空間Ｍ内の内容物を注出可能とする吐出器を、口部２１に固定保持して使用される。そして、充填空間Ｍ内の内容物が注出されるに伴って、図２に示すように内層体１０Ａは減容していくが、内層体１０Ａの底部１４は、爪部１６が外層体２０の貫通孔２６に係止されているので、口部側に向かう持ち上がりが防止できる。また、内層体１０は、折り返し部１５が環状壁２５に係合して口部１１の先端も係止されていて、胴部１３は内容物の注出に従って二重容器１の中心軸線に向けて全体が均等に収縮するので、内容物の取り残しがなくなる。なお、内層体１０Ａ及び外層体２０の相互間には、隙間１７を通して外気が導入されるので、充填空間Ｍ内の内容物の注出に伴って内層体１０Ａが減容する一方、外層体２０の形状はそのまま維持される。
【００２１】
また、例えば隙間１７を通して内層体１０Ａと外層体２０との相互間に加圧した空気を導入可能とする加圧装置を用いれば、上述した吐出器のヘッドを押し下げている間、連続して内容物を注出させることもできる。なお、この場合の吐出器としては、例えば、ヘッドを押し下げたりレバーを牽曳したりすることで、充填空間Ｍと外界とが連通するようにした逆止弁の機能を備える一方、ポンプ機能は省略したものを用いることができる。
【００２２】
また、本発明に従う二重容器は、図３（ａ）、（ｂ）に示す他の実施形態とすることもできる。なお、上述した図１〜図２に示す部位と共通する機能を有する部位には、同一の符号を付して説明を省略する。
【００２３】
図３（ａ）に示す二重容器１Ｂは、爪部１６の先端を延ばして押圧部１８としたものであり、また、爪部１６は、図３（ｂ）に示すように均等配置で２個設けられている。
【００２４】
上記のような構成となる二重容器１Ｂは、図４に示すように、押圧部１８を押して爪部１６を内側に傾倒させることで、爪部１６と貫通孔２６との係合を解除することができる。これによって、図５に示すように内層体１０Ｂを口部２１から取り外すことができるので、分別廃棄が容易となる。
【００２５】
次に、本発明に従う二重容器の製造方法について、上述した二重容器１Ａに則して説明する。二重容器１Ａを製造するに当たっては、図６〜図８に示すように、内層体１０Ａを形成する内側プリフォーム３０Ａと、外層体２０を形成する外側プリフォーム４０とからなるプリフォーム２Ａを準備する。なお、内側プリフォーム３０Ａ及び外側プリフォーム４０は、例えば射出成形によって成形される。
【００２６】
ここで、本実施形態の内側プリフォーム３０Ａは、図６（ａ）に示すように口部３１を有する有底筒状であって、口部３１の上端部には、径方向外側に向けて折り返した環状の折り返し部３２が設けられている。そして内側プリフォーム３０Ａの底部には、口部３１に対して反対側に突き出す爪部３３が設けられている。本実施形態においては図６（ｂ）に示すように均等配置で３個設けられていて、これらの爪部３３の相互間には、隙間３４が形成されている。
【００２７】
また、外側プリフォーム４０は、図７に示すように、その外周面にねじ部が形成された口部４１を有する有底筒状となっている。また、口部４１の上部には、折り返し部３２に係合する環状壁４２が設けられている。本実施形態において成形後の外側プリフォーム４０の底部は、中心部が口部４１とは反対側に突出していて塞がる形状となっているが、線ｃに沿って切り取ることで、図８に示すように貫通孔４３を形成する。なお、最初から貫通孔４３が形成されるような金型構造にて外側プリフォーム４０を成形してもよい。
【００２８】
そして、図８に示すように内側プリフォーム３０Ａを外側プリフォーム４０に挿入し、最後まで押し込むことで爪部３３が貫通孔４３に係止され、また、折り返し部３２が環状壁４２に係止されて、二重容器用のプリフォーム２Ａが形成される。
【００２９】
次いで、プリフォーム２Ａを延伸可能な温度まで加熱し、ブロー成形用金型内にセットした後、二軸延伸ブロー成形を行う。本実施形態では、図示は省略するが、口部３１から挿通されて内側プリフォーム３０Ａの底部を突き出すように構成された延伸ロッドと、この延伸ロッドに対向して配置され、外側プリフォーム４０の底部に当接するとともに延伸ロッドの突き出しに応じて後退するように設けた受けロッドとを備えている。そして、口部３１から所定圧力の空気を内側プリフォーム３０Ａ内に送り込み、延伸ロッドを突き出しつつ受けロッドを後退させることによって、二重容器１Ａが成形される。なお内側プリフォーム３０Ａの口部３１は、折り返し部３２が環状壁４２に係止されているので、延伸ブロー成形中に外側プリフォーム４０から外れてしまうことはない。
【００３０】
このように、爪部３３を有する内側プリフォーム３０Ａと貫通孔４３を有する外側プリフォーム４０とからなるプリフォーム２Ａを用いて二軸延伸ブロー成形を行えば、通常の容器と同様の二軸延伸ブロー成形にて、二重容器１Ａを製造することができる。
【００３１】
なお、他の実施形態である二重容器１Ｂを製造するに当たっては、上述した内側プリフォーム３０Ａに代えて、図９（ａ）、（ｂ）に示すように、先端を延ばして押圧部３５を形成した爪部３３を均等配置で２個備える内側プリフォーム３０Ｂを準備し、上述したプリフォーム２Ａと同様に、この内側プリフォーム３０Ｂを外側プリフォーム４０と組み合わせたプリフォーム２Ｂにて二軸延伸ブロー成形を行えばよい。
【産業上の利用可能性】
【００３２】
本発明によれば、内容物の注出に伴う内層体の底部の持ち上がりを確実に防止できるので、吸引チューブを有する吐出器を設ける場合にも注出が妨げられることがなく、また、内層体を均等に減容させることが可能となるので、内容物を最後まで無駄なく注出させることができ、しかも従来と同様の二軸延伸ブロー成形にて簡単に製造することができる二重容器を提供できる。
【符号の説明】
【００３３】
１Ａ  二重容器
１Ｂ  二重容器
２Ａ  プリフォーム
２Ｂ  プリフォーム
１０Ａ  内層体
１０Ｂ  内層体
１６  爪部
１７  隙間
１８  押圧部
２０  外層体
２６  貫通孔
３０Ａ  内側プリフォーム
３０Ｂ  内側プリフォーム
３３  爪部
３４  隙間
３５  押圧部
４０  外側プリフォーム
４３  貫通孔
Ｍ    充填空間
【図１】
2014069877.tif 000003
【図２】
2014069877.tif 000004
【図３】
2014069877.tif 000005
【図４】
2014069877.tif 000006
【図５】
2014069877.tif 000007
【図６】
2014069877.tif 000008
【図７】
2014069877.tif 000009
【図８】
2014069877.tif 000010
【図９】
2014069877.tif 000011